(57)【特許請求の範囲】
【請求項１】
構造物の壁面に固定された装着部材から離間されて吊下げられる装飾体であって、
前記壁面に沿って重ならないように配列される板体と、前記板体を軸支させる軸体とからなり、異音発生防止手段を備え、
前記板体が、金属板体からなり、複数の吊下げ孔を備え、
前記軸体が、抜止頭部と胴部と固着部とからなると共に、前記板体に貫通された各々の吊下げ孔に挿し込まれ、
前記抜止頭部が、前記胴部よりも拡幅されて前記板体を抜け止めし、
前記胴部が所定の長さとされると共に、前記胴部の外周と前記吊下げ孔の内周との間に前記板体を遊嵌させる隙間を備え、前記板体が、前記装着部材に対して前後方向及び左右方向に揺動可能とされ、
前記異音発生防止手段として、前記複数の吊下げ孔が、前記板体の上方に水平に配列されて前記板体の面方向回転が抑止され、前記胴部の周面が滑らかな状態とされ、且つ、前記隙間の大きさが、前記板体を前後方向及び左右方向に揺動させた状態で、前記板体と前記装着部材とを衝突させない寸法とされて、金属による異音の発生を抑止させる、
ことを特徴とする装飾体。
【請求項２】
前記異音発生防止手段に、一対の樹脂材が含まれ、
前記板体が、前記一対の樹脂材に挟まれた状態で、前記胴部に装着される、
ことを特徴とする請求項１に記載の装飾体。
【請求項３】
前記異音発生防止手段に、摺動手段が含まれ、
前記摺動手段が、前記吊下げ孔の内周面と前記胴部の外周面との間に装着される、
ことを特徴とする請求項１又は請求項２に記載の装飾体。
【請求項４】
前記摺動手段が、樹脂製管体からなっている、
ことを特徴とする請求項３に記載の装飾体。
【請求項５】
前記隙間の水平方向の寸法が垂直方向の寸法よりも大きい、
ことを特徴とする請求項１乃至請求項４のいずれか一項に記載の装飾体。
【請求項６】
前記板体が、大きさが異なる複数の種類の中から選択され、大きさが異なる板体が混在した状態で配設される、
ことを特徴とする請求項１乃至請求項５のいずれか一項に記載の装飾体。
【発明の詳細な説明】
【技術分野】
【０００１】
本発明は、構造物の壁面に配設される装飾体に関する。具体的には、構造物の壁面から離間させて吊下げた板体が風により揺動されても不快な金属音を発生させず、板体の表面からの反射模様が変化にとんだものとなると共に耐久性が高い装飾体に関する。
【０００２】
具体的には、風により垂直面に対して回転されないように、板体を複数の箇所で吊下げ、前後方向及び左右方向に揺動可能とさせると共に異音発生防止手段を備えさせた装飾体に関する。詳細には、板体と軸体等とによる金属衝突音や金属が擦る音等の異音の発生が防止され、外光を煌めいた状態で反射させ、周囲の物、例えば植栽等の反射像を映し出し、広さが限られた屋上庭園等において、空間の広さや植栽面積を錯誤させる効果をも呈する装飾体に関する。
【背景技術】
【０００３】
従来から、円形状又は矩形形状の板体を装飾板として壁面に吊下げて、広告媒体として機能させる技術がある。特許文献１には、筋状に溝を入れた樹脂基板に、溝の区画を単位として円形状の装飾板を吊下げて、板体の色調の変化がある広告媒体とさせるとする装飾板の技術が開示されている。
【０００４】
基板も装飾板自体も樹脂製とされ、基板に筋状の溝が備えられているため、容易に溝で折り曲げて切断することができ、装飾板の形状を任意に決めることが容易であるとされている。円形状の装飾板の上部に一つの孔をあけ、基板から突出された基軸の軸孔に、装飾板の孔に通したリベットを挿し込んで、装飾板を取り付けるとされている。
【０００５】
この技術によれば、基板も装飾板も樹脂体とされているため、例え垂直面に対して回転しても異音は発生しにくいが、屋外における耐久性が低い。装飾体に光を反射させる塗装又はめっき処理をしたとしても、耐久性が長期にわたって維持しにくく、反射効果を長期にわたって維持できないという課題があった。
【０００６】
特許文献２には、板体をなす反射プレートの反射面を凹面鏡、凸面鏡等とした装飾用反射プレートの技術が開示されている。この技術によれば、太陽光があたる反射面を湾曲形状とすることにより、眩惑による交通の危険を防止できると共に、乱反射の効果により広く反射させることができ、揺動を広角度としなくてもよく、揺動による騒音の発生を抑止しやすいとされている。
【０００７】
しかし、この技術によれば各々の板体を凹面鏡又は凸面鏡とするために手間がかかると共に、板体の上部を一点で吊下げているだけなので、風が強いときには板体が回転して、板体同士が衝突しやすく、板体の脱落や破損が発生しやすいという課題があった。
【０００８】
特許文献３には、装飾体を壁面体に突き当たるまでの一定の間隔以上に動作できなくした装飾板の組立て器具の技術が開示されている。この技術によれば、折り曲げた細幅板体を基材として、基材の一方の側縁から、装飾板に穿孔させた孔に貫通させる一対の細幅の爪板を装飾板のピッチで突き出させた基材と、上部に２か所の孔をあけた装飾板の組立て器具とされている。
【０００９】
この技術によれば、装飾板の孔に爪板を挿し込ませた状態で、爪板の突出部を折曲器で円筒状に折り曲げて、抜け止めとさせている。この技術によれば折り曲げた円筒状の部分が、爪板を基材の側縁に押し当てて、前後方向しか揺動できないようにしている。そのため左右方向に揺動することによる反射効果が得られず、変化にとんだ装飾効果が得られないという課題があった。
【先行技術文献】
【特許文献】
【００１０】
【特許文献１】実開昭５１−１０６５８９号公報
【特許文献２】実開昭５９−０７７１９６号公報
【特許文献３】実開昭４８−０３７７９７号公報
【発明の概要】
【発明が解決しようとする課題】
【００１１】
本発明が解決しようとする課題は、構造物の壁面から離間させて吊下げた板体が、風により前後方向及び左右方向に揺動されても、金属衝突音や金属が擦る音が発生せず、外光を反射させて煌めいた状態を呈させると共に、板体の表面に映り込んだ反射模様が変化にとんだものとなる耐久性が高い装飾体を提供することである。
【課題を解決するための手段】
【００１２】
本発明の第１の発明は、構造物の壁面に固定された装着部材から離間されて吊下げられる装飾体であって、前記壁面に沿って重ならないように配列される板体と、前記板体を軸支させる軸体とからなり、異音発生防止手段を備え、前記板体が、金属板体からなり、複数の吊下げ孔を備え、前記軸体が、抜止頭部と胴部と固着部とからなると共に、前記板体に貫通された各々の吊下げ孔に挿し込まれ、前記抜止頭部が、前記胴部よりも拡幅されて前記板体を抜け止めし、前記胴部が所定の長さとされると共に、前記胴部の外周と前記吊下げ孔の内周との間に前記板体を遊嵌させる隙間を備え、前記板体が、前記装着部材に対して前後方向及び左右方向に揺動可能とされ、前記異音発生防止手段として、前記複数の吊下げ孔が、前記板体の上方に水平に配列されて前記板体の面方向回転が抑止され、前記胴部の周面が滑らかな状態とされ、且つ、前記隙間の大きさが、前記板体を前後方向及び左右方向に揺動させた状態で、前記板体と前記装着部材とを衝突させない寸法とされて、金属による異音の発生を抑止させることを特徴としている。
【００１３】
装飾体をなす板体が構造物の外面から離間されて配設されているため、板体の裏面に風が通過する通風空間が設けられ、板体が前後方向及び左右方向に揺動されても構造物の外面に衝突することはない。板体は、屋外使用に好適であるように耐候性のある金属板体からなっているが、平面体に限定されず、重ならないように配設されればよい。
【００１４】
金属板体の材質、大きさ、色、隣り合う隙間の幅は限定されないが、材質は耐候性の高いステンレス材が好適である。金属板体は、孔あき板であってもよく、屈曲させた板体であってもよく、表面の仕上は、鏡面仕上でも、エッチング仕上でも、ヘアライン仕上でもよく限定されないことは勿論のことである。また、無垢の金属板に限定されず、樹脂を挟み込んだ金属板であってもよく、コーティングされた金属板であってもよい。
【００１５】
重ならないように配列されるとは、隣の板体との間隔が均等でなくてもよい。板体を矩形形状とし隙間の幅を等しくすると、無風状態では、あたかも施釉したタイル壁の美観を呈する。隣の板体との間隔を不均一にしておけば、裏面の通風空間と外面との間に流出入する空気流が変化しやすく、微風でも板体に、さざ波状の揺動を生じさせやすい。
【００１６】
板体の上部には、水平に複数の吊下げ孔が並列され、夫々の吊下げ孔には、軸体が挿し込まれている。複数の軸体の胴部に、一枚の板体が吊下げられているため、板体は回転することがなく、前後方向及び左右方向に揺動されるに留まる。板体は、抜止頭部に抜け止めされ、胴部の長さで前後方向に移動可能とされる。胴部の外周部と、吊下げ孔の内周部との間には、隙間があけられている。
【００１７】
胴部の長さは、約５ｍｍから１０ｍｍが好適であり、隙間の幅は約１ｍｍから２ｍｍが好適であるが夫々限定されない。板体は、吊下げ孔を中心とする前後に傾く前後方向の揺動と共に、前後方向へのスライドに加えて左右に傾く左右方向の揺動とが組み合されて、外光をさざ波のように反射させる。
【００１８】
また、前記隙間の幅は、板体を前後方向及び左右方向に揺動させた状態で、前記板体が前記装着部材に衝突されない寸法とされている。これにより、構造物は勿論のこと、例えば装着部材が金属であっても、板体と装着部材との衝突による異音が発生せず、板体の表面に映り込んだ反射模様が変化にとんだものとなる耐久性が高い装飾体とすることができるという有利な効果を奏する。
【００１９】
本発明の第２の発明は、第１の発明の装飾体であって、前記異音発生防止手段に、一対の樹脂材が含まれ、前記板体が、前記一対の樹脂材に挟まれた状態で、前記胴部に装着されることを特徴としている。
【００２０】
異音発生防止手段をなす樹脂材の材質は限定されず、耐候性の高い樹脂、例えばポリ塩化ビニル樹脂、ポリカーボネート樹脂、アクリル樹脂等であればよい。樹脂材に挟まれたとは、円環状の樹脂材で挟むことに限定されず、例えば上下左右の箇所に樹脂材を貼着させた状態としてもよい。第２の発明によれば、板材が樹脂材に挟まれた状態で胴部に装着されているため、板材が抜止頭部や固着部に直接衝突されないため、耳障りな金属衝突音を発生させないという効果を奏する。
【００２１】
本発明の第３の発明は、第１又は第２の発明の装飾体であって、前記異音発生防止手段に、摺動手段が含まれ、前記摺動手段が、前記吊下げ孔の内周面と前記胴部の外周面との接触位置に付設されることを特徴としている。
【００２２】
摺動手段の材質は、動摩擦係数０．４５以下の樹脂、例えばフッ素樹脂、ポリアセタール樹脂、ポリカーボネート樹脂等のほか、セラミックスでもよく、フッ素樹脂等のコーティングでもよい。接触位置とは、周囲全面であってもよく、常時接触している胴部の天面のみでもよい。異音発生防止手段に、軸体と板体との接触位置に装着される摺動手段が含まれているため、金属部同士が擦る音の発生が防止されるという効果を奏する。
【００２３】
本発明の第４の発明は、第３の発明の装飾体であって、前記摺動手段が、樹脂製管体からなり、前記胴部を囲っていることを特徴としている。第４の発明によれば、摺動手段を樹脂製管体としている。摺動部材が樹脂製管体であると、軸体の胴部を囲むように、樹脂製管体に胴部を挿し込めばよく、異音発生防止手段の装着が容易である。
【００２４】
本発明の第５の発明は、第１から第４の発明の装飾体であって、前記隙間の水平方向の寸法が垂直方向の寸法よりも大きいことを特徴としている。第５の発明によれば、吊下げ孔と胴部との隙間の水平方向の寸法が垂直方向の寸法よりも大きいため、板体を吊下げている複数の軸体の平行の精度が長期間の間に悪くなっても、水平方向に揺動されやすく、より変化にとんだ煌めく状態を維持させやすい。
【００２５】
本発明の第６の発明は、第１から第５の発明の装飾体であって、前記板体が、形状又は大きさが異なる複数の種類の中から選択され、形状又は大きさが異なる板体が混在した状態で配設されることを特徴としている。
【００２６】
第６の発明によれば、板体は重ならないように配設されればよく、円形状、正方形、長方形等の形状の大きさの異なる板体が散りばめられたように配設されると、広告宣伝効果を発揮させやすい。例えば、社名の文字部分だけ小さな円形の板体とし、その周囲に大きな正方形の板体を配列させるとよい。
【００２７】
そうすると、風が無いときには、太陽光が全面で一様に反射されるのに対して、風があるときには、一部だけの揺らぎを小さく、その周囲の部分の揺らぎを大きくさせ、一部だけの煌めきを変化させることができるという従来にない効果を奏する。このため、太陽光の反射により文字部分を周囲から浮き出させて広告効果を高くすることもできる。
【発明の効果】
【００２８】
・本発明の第１の発明によれば、構造物は勿論のこと、例えば装着部材が金属であっても、板体と装着部材との衝突による異音が発生せず、板体の表面に映り込んだ反射模様が変化にとんだものとなる耐久性が高い装飾体とすることができるという有利な効果を奏する。
・本発明の第２の発明によれば、板材が樹脂材に挟まれた状態で胴部に装着されているため、板材が抜止頭部や固着部に直接衝突されないため、耳障りな金属衝突音を発生させないという効果を奏する。
【００２９】
・本発明の第３の発明によれば、金属部同士が擦る音の発生が防止されるという効果を奏する。
・本発明の第４の発明によれば、摺動部材が樹脂製管体であると、軸体の胴部を囲むように、樹脂製管体に胴部を挿し込めばよく、異音発生防止手段の装着が容易である。
【００３０】
・本発明の第５の発明によれば、板体を吊下げている複数の軸体の平行の精度が長期間の間に悪くなっても、水平方向に揺動されやすく、より変化にとんだ煌めく状態を維持させやすい。
・本発明の第６の発明によれば、風が無いときには、太陽光が全面で一様に反射されるのに対して、風があるときには、一部だけの揺らぎを小さく、その周囲の部分の揺らぎを大きくさせ、一部だけの煌めきを変化させることができるという従来にない効果を奏する。
【図面の簡単な説明】
【００３１】
【図１】斜視図による構成説明図（実施例１）
【図２】正面図（実施例１）
【図３】斜視図（実施例１）
【図４】平面図（実施例１）
【図５】側面図（実施例１）
【図６】吊下げ孔の説明図（実施例２）
【図７】平面図（実施例２）
【図８】正面図（実施例３）
【図９】正面図（実施例４）
【図１０】斜視図による軸体の説明図（実施例５）
【図１１】摺動手段の説明図（実施例６）
【発明を実施するための形態】
【００３２】
複数の金属板体を重ならないように配列させ、その夫々を複数の吊下げ孔から軸体を通して、軸体の所定の長さの滑らかな胴部に遊嵌させ、前後方向及び左右方向に揺動可能に吊下げ、吊下げ孔の大きさを、板体が揺動されても装着部材と衝突しない大きさとし、表面に映り込んだ反射模様が変化にとむと共に耐久性の高い装飾体であっても、金属部が異音を発生させないようにした。
【実施例１】
【００３３】
実施例１として、板体が平坦な金属板体とされた装飾体１を、図１から図５を参照して説明する。図１（Ａ）図は装飾体を構成する部材の分解斜視図を示し、図１（Ｂ）図は部材を組み立てた状態を示している。図２は吊下げて配列させた装飾体１の正面図を示し、図３は組み立てた状態の斜視図を示している。図４は平面図により吊下げた装飾体の揺動状態を示している。図５は側面図により吊下げた装飾体の揺動状態を示している。
【００３４】
装着部材は、構造物の壁面に沿って垂直方向にハット型断面形状をなす垂直下地部材１００と、垂直下地部材に交差する方向に配列された溝型断面形状をなす水平部材２００とからなっている。垂直下地部材１００は、構造物の壁面に所定の間隔でボルト３００により固定され、水平部材２００は予め所定の間隔で装飾体を吊下げた状態とされて、垂直下地部材１００に溶接して固着される。垂直下地部材１００と水平部材２００とが格子状の装着部材とされる（図４、図５参照）。
【００３５】
装飾体１は、表面が平滑に仕上げられた、一辺が１０ｃｍの矩形形状のステンレス板からなる板体１０と、抜止頭部と胴部と固着部をなす軸体２０と、異音発生防止手段をなす一対の樹脂製円板３０と樹脂製管体４０とを備えている。板体の上方部には、上縁から１ｃｍ内方と、左縁と右縁の夫々から１ｃｍ内方との交差位置に、外径３．５ｍｍの吊下げ孔１１，１１が穿孔されている。
【００３６】
直径が約３ｍｍの螺子軸体５０とナット６０と細筒体７０とが固着部をなし、螺子頭部５１が抜止頭部とされ、螺子頭部の内端面から所定の長さの範囲が滑らかな外周面とされた胴部５２とされている。胴部の長さは５ｍｍから１０ｍｍが好適である。胴部において、装着された板体１０が前後にスライド可能とされ、板体１０が前後方向及び左右方向に揺動される。螺子軸体の胴部５２の滑らかな外周面が、異音発生防止手段の一つとされている。胴部に、外周が滑らかな部材を装着するのであれば、胴部の内部は螺子としてもよい。
【００３７】
軸体の胴部５２の先方の周面には螺旋螺子部５３が形成され、螺旋螺子部５３が長く伸び、その先端部が装着部材をなす水平部材２００に固着される。螺旋螺子部５３の長さは限定されず、少なくとも水平部材２００に螺子軸体５０が固着される長さであればよい。実施例１においては、円断面形状の軸体の先方の外周面に螺旋溝を形成させている。一方、全長に螺旋溝が形成された螺子軸体を、その螺子頭部の内端から外周面の螺旋溝を削って滑らかな胴部とさせてもよい。螺旋螺子部の長さは７０ｍｍとされ、螺子軸体の頭部には、回転工具に装着される被装着部が形成されている。
【００３８】
細筒体７０には、螺子軸体の螺旋螺子部５３が挿嵌される。細筒体の両側の位置の螺旋螺子部にナット６０，６０が締め込まれて、螺旋軸体５０と細筒体７０と両側のナット６０，６０とが一体化されて、変形されにくい高い剛性の軸体の固着部をなす。軸体の固着部の端から突出された螺旋螺子部５３が水平部材２００に形成された螺子孔に螺合され、水平部材２００を挟んだ状態で、反対側から外れ止めナット６１（図４，図５参照）が締め込まれて、水平部材２００と装飾体１とが一体化される。
【００３９】
異音発生防止手段をなす摺動手段としての樹脂製管体４０は、ポリアセタール樹脂製とされる。装飾体１においては、樹脂製管体４０の中に外周面が滑らかな胴部５２が挿嵌されている。吊下げ孔１１の内径に応じて、樹脂製管体４０が嵌められた状態又は外周面が滑らかな胴部５２の状態で、吊下げ孔１１の中に挿し込まれればよい。異音発生防止手段をなす樹脂製円板３０は、外径５ｍｍ厚さ１ｍｍのポリカーボネート樹脂材からなり、中央部に前記胴部５２又は樹脂製管体４０が貫通される孔が穿孔されている。
【００４０】
板体の吊下げ孔１１に、一方から樹脂製円板３０の孔を通して螺子軸体５０が挿入され、板体１０を挟むように、板体の裏面側から樹脂製管体４０、他方の樹脂製円板３０が螺子軸体５０に嵌められ、螺旋螺子部５３の胴部側までナット６０が螺合され、表面側から順に、螺子頭部５１、樹脂製円板３０、樹脂製管体４０、樹脂製円板３０が配列され、板体１０が樹脂製管体４０に沿って前後方向に遊嵌される。板体の他方の吊下げ孔にも、同様に軸体が装着されて、装飾体１が水平部材２００に固着される前の状態とされる。
【００４１】
多数の固着前の状態とされた装飾体１が、上下方向及び左右方向に同一の間隔をあけて配列された状態とされる（図２参照）。板体１０の表面が平滑に仕上げられて、等間隔の隙間４００をあけて配列されるため、風がなく板体が揺動されない状態では、隙間４００が、施釉タイル張壁の目地部と同様な美観を呈する。この隙間４００から空気が裏面に出入りする際に、板体１０が揺動され、板体１０に映り込んだ外景が、さざ波のように揺れた状態となる。
【００４２】
ここで板体の揺動について、詳細に説明する。吊下げ孔１１の内周と胴部４０（５２）の外周との間には、板体を遊嵌させる隙間４１０があけられている。この隙間４１０の幅は、孔の中で胴部を偏在させた状態で、水平方向及び垂直方向とも約１．０ｍｍから２．０ｍｍとされる。
【００４３】
胴部４０（５２）が所定の長さとされているため、板体１０は胴部の長さの範囲で前後方向にスライド（図３Ａ矢印参照）される。それに加えて、吊下げ孔１１と胴部４０（５２）との間には前記隙間４１０があいているため、板体の左側位置と右側位置とは相対的に異なる前後の位置、換言すれば平面視で左右に傾いた状態となりやすい（図３Ｂ矢印参照）。
【００４４】
胴部に遊嵌された板体が、前後にスライドしながら、左右に傾くため、板体は胴部と板体との接触位置を支点にして左右方向に揺動される（図４Ｃ矢印参照）。また、吊下げられた板体１０は、胴部と板体との接触位置を支点にして、前後方向にも揺動される（図５Ｄ矢印参照）。左右方向の揺動（図４Ｃ矢印参照）と前後方向の揺動（図５Ｄ矢印参照）とが重ね合わされ、全体として、さざ波のような揺動状態が発生される（図４、図５参照）。
【００４５】
板体を胴部に吊下げた状態で、板体の前後方向の揺動と左右方向の揺動とを重ねた状態で、板体を大きく傾けた状態としても、板体の縁部が、壁面の前方に固着された装着部材をなす垂直下地部材１００、水平部材２００に衝突しないように、胴部の外径と吊下げ孔の内径が決定される。換言すれば胴部と吊下げ孔の隙間４１０の幅が制限されているため、板体が装着部材と衝突して、不快な高音の金属音が発生されない。
【００４６】
実施例１の装飾体を、例えば屋上広場の植栽帯や花壇の背面上部に配設させると、風が凪いだ状態では、板体に植栽帯や花壇が映り込んでいるため、あたかも植栽帯や花壇が広がったかのように錯誤させ、屋上広場が広がりを感じさせる空間となる。また微風がある状態では、板体に映り込んだ植栽帯や花壇が、さざ波のように揺れ動き、華やいだ雰囲気が呈される。仮に、風が強い状態でも、異音発生防止手段を有しているため、金属が擦る音や衝突する音が発生せず、滞在者に不安や不快な思いをさせない。
【実施例２】
【００４７】
実施例２では、左右の吊下げ孔１１１の形状を長円とさせた装飾体２を、図６を参照して説明する。吊下げ孔の形状を除いて、実施例２の装飾体は、実施例１の装飾体１と同様であるため、吊下げ孔の構成とその作用を図６と図７を参照して説明する。図６は板体１０に貫通された軸体を切断した状態の正面拡大図を示している。
【００４８】
吊下げ孔１１の中には、外周に樹脂製管体４０を装着させた螺子軸体５０が胴部として挿し込まれている。板体１０は、上下方向は上部のみで支持されているため、上下方向の胴部と吊下げ孔の隙間が小さくても揺動されやすい。一方、左右方向については、水平部材に２本の軸体を平行に並べて植立させているため、施工当初は平行であっても、台風等に晒されて、長期間の間に軸体が傾いて平行でなくなった場合には水平方向に揺動されにくくなる。
【００４９】
装飾体２の板体１０は、吊下げ孔１１１の水平方向の寸法ａが吊下げ孔の垂直方向の寸法ｂよりも大きな寸法とされている。装飾体２は、吊下げ孔１１１が水平方向に長い長円とされ、板体１０と胴部との水平方向の隙間の寸法が大きくされているため、水平方向に揺動されやすい（図７Ｅ矢印参照）。
【実施例３】
【００５０】
実施例３では、図８を参照して、装飾体３を説明する。装飾体３は、板体の素材が孔あきステンレス板とされている。板体が、異なっている点を除いて、実施例１の装飾体と同様であるため、その作用と効果のみを簡単に説明する。
【００５１】
板体１１０に規則的に多数の小径の孔１１２が形成されているため、装飾体３の正面側から裏面側の状態が垣間見ることができる状態となる。垂直下地部材１００と水平部材２００とを細幅の部材とすれば、正面側からも背面側からも反対側が透視できると共に、板体１１０に夫々の前景を映し出すことができる。
【００５２】
装飾体３によれば、多数の人が滞留する空間を分割するように使用すれば、分割された他方の空間の様子が垣間見ることができると共に、変化にとんだ反射された前景を楽しむことができる。また、長期間風雨に晒されても、鏡面仕上げに比して汚れが目立ちにくく、維持メンテナンスが容易である。
【実施例４】
【００５３】
実施例４では、図９を参照して、装飾体４を説明する。装飾体４は、一対の板体１２０，１２０の隣り合った下方隅部が斜めに切り欠かれた形状とされている。板体が、異なった形状とされている点を除いて、実施例１の装飾体１と同様であるため、その作用と効果のみを簡単に説明する。
【００５４】
装飾体４の一対の板体の隣り合った下方隅部１３０が斜めに切り欠かれ、切り欠かれた部分が板体の前方と後方の空気流路とされる。一枚の板体の一方に偏った状態で空気流路が形成されているため、風が強くなくても、切り欠かれた部分を空気流路として風が通過しやすく、空気が通過する際に板体が揺動されやすいという効果を奏する。
【実施例５】
【００５５】
実施例５では、図１０を参照して、実施例１の軸体とは異なる構成の軸体を説明する。図１０（Ａ）図は構成部品の分解斜視図を示し、図１０（Ｂ）図は、組み立てた状態を示している。軸体は、抜止頭部をなす螺子軸体５００と、胴部をなす樹脂製管体４０と、異音発生防止手段をなす一対の樹脂製円板３０，３０と、固着部をなす胴長螺子６００とからなっている。胴部をなす樹脂製管体４０は、異音発生防止手段をなしている。
【００５６】
軸体をなす胴長螺子６００は外径約５ｍｍ、長さ約８０ｍｍの円柱の軸方向に沿って先方に雄螺子部６０１が形成され、基部に雌螺子部６０２が形成されている。一方、板体を吊下げる胴部は、市場に流通している汎用螺子に樹脂製管体４０を嵌めて胴部としている。汎用されている螺子軸体５００に一対の樹脂製円板３０，３０と樹脂製筒体４０を嵌めた状態で、先方の雄螺子部を胴長螺子の雌螺子部６０２に螺合させて軸体とさせ、雄螺子部６０１を固着部として装着部材に固着させる。
【実施例６】
【００５７】
実施例６では、摺動部材が樹脂製管体７００とされ、予め板体に装着される装飾体６を、図１１を参照して説明する。図１１は、吊下げ孔１１に、ポリエチレン樹脂からなる樹脂製管体７００が装着された装飾体６をなす板体１０を示している。装飾体６は、軸体との接触部に樹脂材が挟まれているため金属部が接することによる異音の発生が防止される。
【００５８】
樹脂製管体７００は、外周面に沿って溝部７０１を有する環状体からなっている。環状体は、圧し潰された状態で板体の吊下げ孔１１に嵌め込まれ、溝部７０１が吊下げ孔１１に嵌め込まれた状態とされる。環状体の中央孔の内径は、軸体の胴部の外径より僅かに大きく、板体を揺動させても装着部材に衝突させない寸法とされる。装飾体６の胴部は、螺旋溝部であってもよく、滑らかな面とされた金属部であってもよい。他の構成については、先の実施例のいずれであってもよい。
【００５９】
（その他）
今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００６０】
１，２，３，４，６…装飾体、
１００…垂直下地部材、２００…水平部材、３００…ボルト、
１０…板体、２０…軸体、３０…樹脂製円板、４０…樹脂製管体、５０…螺子軸体、
６０…ナット、７０…細筒体、５１…螺子頭部、５２…胴部、５３…螺旋螺子部、
６１…外れ止めナット、１１…吊下げ孔、４００…隙間、４１０…隙間、
１１０…板体、１２０…板体、１１１…吊下げ孔、１１２…小径の孔、
１３０…下方隅部、５００…螺子軸体、６００…胴長螺子、
６０１…雄螺子部、６０２…雌螺子部、
７００…樹脂製管体、７０１…溝部
【要約】      （修正有）【課題】構造物の壁面から離間させて吊下げた板体が、風により前後方向及び左右方向に揺動されても、金属衝突音や金属が擦る音が発生せず、外光を反射させて煌めいた状態を呈させると共に、板体の表面に映り込んだ反射模様が変化にとんだものとなる耐久性が高い装飾体を提供すること。【解決手段】複数の金属の板体１０を重ならないように配列させ、該板体１０の夫々を複数の吊下げ孔１１に軸体２０の樹脂製管体４０を通して遊嵌させ、前後方向及び左右方向に揺動可能に吊下げ、該吊下げ孔１１の大きさを、該板体１０が揺動されても装着部材と衝突しない大きさとし、表面に映り込んだ反射模様が変化にとむと共に耐久性の高い装飾体であっても、金属部が異音を発生させないようにした。【選択図】図１【図１】
0006959595.tif 000002
【図２】
0006959595.tif 000003
【図３】
0006959595.tif 000004
【図４】
0006959595.tif 000005
【図５】
0006959595.tif 000006
【図６】
0006959595.tif 000007
【図７】
0006959595.tif 000008
【図８】
0006959595.tif 000009
【図９】
0006959595.tif 000010
【図１０】
0006959595.tif 000011
【図１１】
0006959595.tif 000012